(57)【要約】【課題】誰でも簡単にごみ袋を出せ、通行の邪魔にならない、ごみ収納容器。【解決手段】四角形の第１フレームの四周にサイズに余裕のある袋状のネットを隙間なく、固定した。第１フレームの下部を支点とし、上部を回転するように可動式として、上からごみを投入し、フレームを閉めるだけで、ごみがカラス除けネットに完全に覆われるようにした。第１フレーム１を９０度以上開くことで、ごみの回収も容易にした。簡単な構造であるため、安価に制作が可能となった。【選択図】図１
2017047987.tif 000002
【特許請求の範囲】
【請求項１】
四角形の第１フレームの四周に、袋状の、カラス除けネットを固定したことを特徴とするごみ収納容器。
【請求項２】
第１フレームの下部を支点とし、上部を回転し、開くことができることを特徴とする、請求項１記載のごみ収納容器。
【発明の詳細な説明】
【技術分野】
【０００１】
本発明は、ごみステーションのカラス除けのごみ収納容器の制作に関するものである。
【背景技術】
【０００２】
ごみステーションにごみを出すときに、カラス除けネットを掛ける作業は、すごく面倒な作業である。ごみをネットの下に潜り込ませ、しっかりとネットが覆うようにしなければならず、また、ネットの準備や片付けもしなければならない。住人によっては、乱雑にごみを出したりする。その上、しっかりとネットで覆った場合でも、カラスにごみを散乱されることもあり、ごみのカラス対策は社会問題となっている。
【０００３】
また、カラス除けに有効な、アルミ製や鉄製のごみ収納容器もあるが、ごみの収集時以外の時も場所をとられる。そのため、私有地に置く場所がある場合はいいが、道路沿いに置く場合にはごみ収集日以外の日も邪魔になる場合が多い。
また、アルミ製や鉄製のごみ収納容器は高価なものが多く、町内会や自治会での購入・設置はなかなか難しい。
【０００４】
折り畳み式のごみ収納容器も開発されているが、ごみ収集日の度に組み立て、折り畳むことは、やはり面倒である。
【先行技術文献】
【特許文献】
【０００５】
【特許文献１】特開２００６−２１９２４７号広報
【発明の概要】
【発明が解決しようとする課題】
【０００６】
解決しようとする問題点は、ごみステーションにごみ袋を出す時に、カラス除けネットを掛ける作業は大変手間がかかり、その上、カラスにごみを食い散らされる被害が後を絶たない。
また、従来のごみ収納容器では、ごみ収集時以外の時も場所をとり、通行の邪魔であり、その上高価である。
折り畳み式のごみ収納容器もあるが、ごみの収集日の度に、組み立て、折りたたんだりすることも、大変面倒である。
【０００７】
そこで、本発明は、ごみステーションにおいて、カラス被害にあわないように、住民が誰でも簡単にごみ袋を出せ、回収係員も簡単にごみ袋を回収でき、ごみ収集時以外の時は場所をとらずコンパクトにでき、美観も損ねず、尚且つ、安価にごみ収納容器を提供することである。
【課題を解決するための手段】
【０００８】
以上の課題を解決するために、第一発明は、四角形の第１フレームの四周に袋状のナイロンネットを隙間なく固定した、ことを特徴とする。
また、第二発明は、カラス除けネットを張った第２フレームと第１のフレームを金具で固定し、第１フレームの上部を９０度以上開くことができるように、可動式としたことを特徴とする。
【発明の効果】
【０００９】
第一発明により、第１フレームに取り付けたナイロンネットを袋状としたことで、ごみの置き方、ネットの掛け方の良し悪しが無くなり、誰がごみを出しても、カラスの被害が無くなる。  また、坂道や凹凸のある場所でも、ナイロンネットの隙間ができないため、カラス被害が無くなる。
【００１０】
第二発明により、ごみ袋を出す手間を大幅に削減することができた。また、回収係員のごみ袋の回収の手間も大幅に削減した。
【図面の簡単な説明】
【００１１】
【図１】図１は実施形態を示す斜視図である。（実施例１）
【図２】図２は第１フレーム１、第２フレーム５の正面図である。
【図３】図３はごみ袋を入れる場合の実施形態を示す断面図１である。
【図４】図４はごみ袋を入れ、閉じた場合の実施形態を示す断面図２である。
【図５】図５はごみ袋を回収する場合の実施形態を示す断面図３である。
【図６】図６はごみ袋を回収した後の実施形態を示す断面図４である。
【図７】図７は第２フレームを建設仮設用養生枠とした場合の斜視図である。
【図８】図８は塀や壁に取り付ける場合、第２フレームを無くした斜視図である。
【発明を実施するための形態】
【００１２】
この発明の具体的な構成について図面を参照して説明する。
図１はこの発明の実施形態を示す斜視図である。また、図２は第１フレーム及び第２フレームの正面図である。図１〜２で示すように、第１フレーム１は四角形とし、その四周全てに、大きさに余裕のある、袋状のナイロンネット２を隙間なく固定する。そして、第１フレームと同じ大きさの、第２フレームの四周全てに平面のナイロンネットを隙間なく固定する。
【００１３】
この第１フレーム１の下部を支点として上部を回転できるように、金具３で第１フレーム１と第２フレームを繋ぐ。第１フレームは上部を９０度以上開くことができるものとする。
第２フレーム５をごみステーションのフェンスや手摺等に固定して使用する。
【００１４】
図３、図４はごみを入れるときの説明の断面図である。第１フレーム１の上部を開き、ごみ袋を下に入れ、フレームを閉じて開き止め金具を止めるだけの簡単な作業のため、ゴミ出しの手間が大幅に削減される。
フレーム１とフレーム２は隙間が無く、また、フレーム１に取り付けられた袋状のカラス除けネットと、フレーム２に取り付けられた平面のカラス除けネットにより、完全にごみ袋はネットで覆われるため、カラスによる散乱の被害の心配はなくなる。
【００１５】
図５はごみの回収時の説明の断面図である。第１フレーム１の上部を地面まで下すことにより、ごみの回収係員は、容易に回収できる。
図６はごみ袋の改修後の説明の断面図である。回収後のネットも、第１フレーム１の上部にネットの余った部分を掛けて閉じておくと、美観も損なわず、場所も取らない。
【００１６】
図７は第２フレームを建設用仮設養生枠等とした場合の図面である。第２フレームをスチールアングルとエキスパンドメタルでできた既製品とすることと、パイプを給排水用の塩ビパイプとすることで、誰でも簡単に製作できる。
また、第１フレームを塩ビパイプとすると、丈夫で軽量なため、女性や子供でも簡単に開け閉めができる。
【００１７】
図８は壁面や塀に取り付ける場合、第２フレームを省略した場合の斜視図である。壁面や塀に第２フレーム及び開き止め金具を取り付けることにより、第２フレームは省略できるものとする。
【産業上の利用可能性】
【００１８】
構造が簡単で、製作費が大幅に削減できた。  これにより、多くのごみステーションに普及でき、ごみのカラス被害の問題へ大きく貢献できる。
【符号の説明】
【００１９】
１    第１フレーム
２    袋状のナイロンネット
３    固定金具（フレーム１は回転できる）
４    開き止め金具
５    第２フレーム
６    平面のナイロンネット
７    スチールアングル
８    エキスパンドメタル
【図１】
2017047987.tif 000003
【図２】
2017047987.tif 000004
【図３】
2017047987.tif 000005
【図４】
2017047987.tif 000006
【図５】
2017047987.tif 000007
【図６】
2017047987.tif 000008
【図７】
2017047987.tif 000009
【図８】
2017047987.tif 000010